(57)【要約】【課題】  遠端ビデオ情報を保存するコンピュータシステム及び方法の提供。【解決手段】  コンピュータシステムに第１オペレーションシステムとシステムリソース消耗が比較的低い第２オペレーションシステムがインストールされ、使用者がコンピュータシステムを第２オペレーションシステムで操作して遠端ビデオ情報を保存ユニット中に保存すると同時に、インデックステーブル記録保存位置を構築し、使用者がコンピュータシステムの入力ユニットを通して入力した外部命令をコンピュータシステムのＣＰＵに受け取り、ＣＰＵがコンピュータシステムのビデオ情報受信ユニットを駆動して遠端ビデオ情報を受信させ、その後、遠端ビデオ情報をコンピュータシステムの保存ユニット中に保存し、インデックステーブルを構築し、遠端ビデオ情報の保存位置を記録する。【選択図】        図３
2005260955.tif 000002
【特許請求の範囲】
【請求項１】
遠端ビデオ情報を保存するコンピュータシステムにおいて、該コンピュータシステムに第１オペレーションシステムとシステムリソース消耗の低い第２オペレーションシステムがインストールされ、該コンピュータシステムの遠端ビデオ情報受信保存は第２オペレーションシステム下で実行され、該コンピュータシステムは、
遠端ビデオ情報を受信するビデオ情報受信ユニットと、
該ビデオ情報受信ユニットが受信した遠端ビデオ情報を保存する保存ユニットと、
該保存ユニットにおける遠端ビデオ情報保存の位置を記録するインデックステーブルと、
使用者が外部命令を下すのに使用される入力ユニットと、
該入力ユニットの外部命令を受け取り該ビデオ情報受信ユニットを駆動して遠端ビデオ情報を受信させるＣＰＵと、
を具えたことを特徴とする、遠端ビデオ情報を保存するコンピュータシステム。
【請求項２】
請求項１記載の遠端ビデオ情報を保存するコンピュータシステムにおいて、入力ユニットが無線リモートコントローラーとされたことを特徴とする、遠端ビデオ情報を保存するコンピュータシステム。
【請求項３】
請求項１記載の遠端ビデオ情報を保存するコンピュータシステムにおいて、入力ユニットがキーボードとされたことを特徴とする、遠端ビデオ情報を保存するコンピュータシステム。
【請求項４】
請求項１記載の遠端ビデオ情報を保存するコンピュータシステムにおいて、ビデオ情報受信ユニットがアナログ遠端ビデオ情報をデジタルビデオ情報に変換することを特徴とする、遠端ビデオ情報を保存するコンピュータシステム。
【請求項５】
請求項１記載の遠端ビデオ情報を保存するコンピュータシステムにおいて、インデックステーブルが遠端ビデオ情報の完全フレームの保存位置を記録することを特徴とする、遠端ビデオ情報を保存するコンピュータシステム。
【請求項６】
請求項１記載の遠端ビデオ情報を保存するコンピュータシステムにおいて、エンコードユニットを更に具え、該エンコードユニットはビデオ情報受信ユニットが伝送する遠端ビデオ情報を受け取りそれをエンコード圧縮して圧縮データとなし、更に保存ユニットに伝送し保存することを特徴とする、遠端ビデオ情報を保存するコンピュータシステム。
【請求項７】
請求項６記載の遠端ビデオ情報を保存するコンピュータシステムにおいて、遠端ビデオ情報のエンコード圧縮形式がＭＰＥＧ形式とされたことを特徴とする、遠端ビデオ情報を保存するコンピュータシステム。
【請求項８】
請求項７記載の遠端ビデオ情報を保存するコンピュータシステムにおいて、ＭＰＥＧ形式データの各Ｉフレームの保存位置がインデックステーブルに記録されることを特徴とする、遠端ビデオ情報を保存するコンピュータシステム。
【請求項９】
請求項６記載の遠端ビデオ情報を保存するコンピュータシステムにおいて、デコードユニットを更に具え、該デコードユニットが保存ユニットの保存した圧縮データを読み取り、デコードすることを特徴とする、遠端ビデオ情報を保存するコンピュータシステム。
【請求項１０】
請求項９記載の遠端ビデオ情報を保存するコンピュータシステムにおいて、表示ユニットを更に具え、該表示ユニットがデコードユニットがデコードした後のデータを受け取り、表示することを特徴とする、遠端ビデオ情報を保存するコンピュータシステム。
【請求項１１】
請求項１記載の遠端ビデオ情報を保存するコンピュータシステムにおいて、デコードユニットを具え、該デコードユニットがビデオ情報受信ユニットが受信したエンコード圧縮済みの遠端ビデオ情報をデコードすることを特徴とする、遠端ビデオ情報を保存するコンピュータシステム。
【請求項１２】
請求項１１記載の遠端ビデオ情報を保存するコンピュータシステムにおいて、表示ユニットを具え、該表示ユニットがデコードユニットがデコードした後のデータを受け取り、表示することを特徴とする、遠端ビデオ情報を保存するコンピュータシステム。
【請求項１３】
請求項１記載の遠端ビデオ情報を保存するコンピュータシステムにおいて、記録ユニットを具え、該記録ユニットがインデックステーブルと保存ユニットに保存された遠端ビデオ情報を読み取り、保存媒体に記録保存することを特徴とする、遠端ビデオ情報を保存するコンピュータシステム。
【請求項１４】
請求項１記載の遠端ビデオ情報を保存するコンピュータシステムにおいて、使用者が入力ユニットを通して外部命令をＣＰＵに下し、遠端ビデオ情報受信時間、遠端ビデオ情報受信チャンネル及び受信保存終了時間を設定でき、設定された受信保存時間が到達すると、ＣＰＵがビデオ情報受信ユニットを駆動し遠端ビデオ情報を受信させ並びに保存ユニットに保存することを特徴とする、遠端ビデオ情報を保存するコンピュータシステム。
【請求項１５】
請求項１４記載の遠端ビデオ情報を保存するコンピュータシステムにおいて、電源管理ユニットを具え、該電源管理ユニットはＣＰＵに接続され、ＣＰＵに受信保存条件が設定された後に遠端ビデオ情報受信時間が未到達の時、該電源管理ユニットがＣＰＵに電源を供給せず、受信保存時間が到達して遠端ビデオ情報の受信保存が開始される時にＣＰＵに電源を供給し、且つ遠端ビデオ情報受信保存完成後にはＣＰＵに電源を供給しないことを特徴とする、遠端ビデオ情報を保存するコンピュータシステム。
【請求項１６】
請求項１５記載の遠端ビデオ情報を保存するコンピュータシステムにおいて、電源管理ユニットが電源供給ユニットに接続されたことを特徴とする、遠端ビデオ情報を保存するコンピュータシステム。
【請求項１７】
請求項１記載の遠端ビデオ情報を保存するコンピュータシステムにおいて、遠端ビデオ情報がテレビ番組のビデオ情報とされたことを特徴とする、遠端ビデオ情報を保存するコンピュータシステム。
【請求項１８】
請求項１記載の遠端ビデオ情報を保存するコンピュータシステムにおいて、第１オペレーションシステムがＷｉｎｄｏｗｓ（登録商標）系列のオペレーションシステムとされたことを特徴とする、遠端ビデオ情報を保存するコンピュータシステム。
【請求項１９】
請求項１記載の遠端ビデオ情報を保存するコンピュータシステムにおいて、第２オペレーションシステムがＬｉｎｕｘ（登録商標）系列のオペレーションシステムとされたことを特徴とする、遠端ビデオ情報を保存するコンピュータシステム。
【請求項２０】
請求項１記載の遠端ビデオ情報を保存するコンピュータシステムにおいて、第２オペレーションシステムが第１オペレーションシステムにインストールされたアプリケーションプログラムを共用することを特徴とする、遠端ビデオ情報を保存するコンピュータシステム。
【請求項２１】
遠端ビデオ情報を保存する方法において、該コンピュータシステムに第１オペレーションシステムとシステムリソース消耗の低い第２オペレーションシステムがインストールされ、該コンピュータシステムの遠端ビデオ情報受信保存は第２オペレーションシステム下で実行され、この遠端ビデオ情報を保存する方法は、
遠端ビデオ情報を受信保存する外部命令をコンピュータシステムのＣＰＵに下すステップ、
外部命令をＣＰＵが受信した後、ＣＰＵが駆動信号を発生してコンピュータシステムのビデオ情報受信ユニットを駆動するステップと、
遠端ビデオ情報を受信するステップと、
遠端ビデオ情報をコンピュータシステムの保存ユニットに保存すると共に、インデックステーブルを構築するステップと、
を具えたことを特徴とする、遠端ビデオ情報を保存する方法。
【請求項２２】
請求項２１記載の遠端ビデオ情報を保存する方法において、インデックステーブルが遠端ビデオ情報の完全フレームの保存位置を記録することを特徴とする、遠端ビデオ情報を保存する方法。
【請求項２３】
請求項２１記載の遠端ビデオ情報を保存する方法において、遠端ビデオ情報を受信するステップにあって、受信する遠端ビデオ情報がＭＰＥＧ形式のデータとされ、各ＭＰＥＧ形式のデータの各Ｉフレームの位置がインデックステーブルに記録されることを特徴とする、遠端ビデオ情報を保存する方法。
【請求項２４】
請求項２１記載の遠端ビデオ情報を保存する方法において、遠端ビデオ情報を受信するステップで受信する遠端ビデオ情報がアナログ信号の時、更に、
受信した遠端ビデオ情報をデジタルビデオ情報に変換するステップ、
該デジタルビデオ情報をエンコード圧縮して圧縮データとなし、更に保存ユニットに伝送し保存するステップ、
を具えたことを特徴とする、遠端ビデオ情報を保存する方法。
【請求項２５】
請求項２１記載の遠端ビデオ情報を保存する方法において、遠端ビデオ情報を受信するステップで受信する遠端ビデオ情報がデジタルビデオ情報の時、該デジタルビデオ情報をエンコード圧縮して圧縮データとなし、更に保存ユニットに伝送し保存するステップ、
を具えたことを特徴とする、遠端ビデオ情報を保存する方法。
【請求項２６】
請求項２４又は請求項２５記載の遠端ビデオ情報を保存する方法において、遠端ビデオ情報のエンコード圧縮形式がＭＰＥＧ形式とされたことを特徴とする、遠端ビデオ情報を保存する方法。
【請求項２７】
請求項２６記載の遠端ビデオ情報を保存する方法において、ＭＰＥＧ形式データの各Ｉフレームの保存位置がインデックステーブルに記録されることを特徴とする、遠端ビデオ情報を保存する方法。
【請求項２８】
請求項２１記載の遠端ビデオ情報を保存する方法において、遠端ビデオ情報を保存ユニットに保存するステップで、コンピュータシステムが保存ユニット中の保存ファイルを開き、遠端ビデオ情報を所定時間保存した後、該コンピュータシステムが別の保存ファイルを開いて続いて保存して遠端ビデオ情報を完全に保存し、保存ファイルの保存時間は使用者が設定することを特徴とする、遠端ビデオ情報を保存する方法。
【請求項２９】
請求項２１記載の遠端ビデオ情報を保存する方法において、遠端ビデオ情報を保存ユニットに保存するステップで、コンピュータシステムが保存ユニット中の保存ファイルを開き、遠端ビデオ情報を所定データサイズまで保存した後、該コンピュータシステムが別の保存ファイルを開いて続いて保存して遠端ビデオ情報を完全に保存し、保存ファイルの保存データサイズは使用者が設定することを特徴とする、遠端ビデオ情報を保存する方法。
【請求項３０】
請求項２１記載の遠端ビデオ情報を保存する方法において、使用者が外部命令をＣＰＵに下し、遠端ビデオ情報受信保存時間、受信遠端ビデオ情報チャンネル、及び受信保存終了時間を設定し、遠端ビデオ情報受信保存時間が到達すると、ＣＰＵがビデオ情報受信ユニットを駆動して遠端ビデオ情報を受信し並びに保存ユニットに保存することを特徴とする、遠端ビデオ情報を保存する方法。
【請求項３１】
請求項３０記載の遠端ビデオ情報を保存する方法において、受信保存条件設定後に、遠端ビデオ情報受信保存時間が未到達の時、ＣＰＵに電力供給せず、遠端ビデオ情報受信保存時間が到達した時、ＣＰＵに電力供給し、且つ遠端ビデオ情報受信保存完成後にＣＰＵに電力を供給しないことを特徴とする、遠端ビデオ情報を保存する方法。
【請求項３２】
請求項２１記載の遠端ビデオ情報を保存する方法において、遠端ビデオ情報がテレビ番組のビデオ情報とされたことを特徴とする、遠端ビデオ情報を保存する方法。
【請求項３３】
請求項２１記載の遠端ビデオ情報を保存する方法において、第１オペレーションシステムがＷｉｎｄｏｗｓ（登録商標）系列のオペレーションシステムとされたことを特徴とする、遠端ビデオ情報を保存する方法。
【請求項３４】
請求項２１記載の遠端ビデオ情報を保存する方法において、第２オペレーションシステムがＬｉｎｕｘ（登録商標）系列のオペレーションシステムとされたことを特徴とする、遠端ビデオ情報を保存する方法。
【請求項３５】
請求項２１記載の遠端ビデオ情報を保存する方法において、第２オペレーションシステムが第１オペレーションシステムにインストールされたアプリケーションプログラムを共用することを特徴とする、遠端ビデオ情報を保存する方法。
【発明の詳細な説明】
【技術分野】
【０００１】
本発明は一種の遠端ビデオ情報を保存するコンピュータシステム及び方法に係り、特に、遠端ビデオ情報を受信保存すると同時に保存位置を記録し、コンピュータシステムが保存するビデオ情報のフレーム変換機能を高め、正常なビデオ情報再生時の順調度を高めビデオ情報記録保存の時間を短縮する。
【背景技術】
【０００２】
近年、生活水準の大幅な向上に加え、世界的な経済景気不良の下で、現代人の生活競争は大きくなり、ゆえにいかに心身をリラックスさせるかが重要となっている。人々は家に帰ると、テレビ番組、映画を観たり、音楽を聴いてストレスを和らげている。テクノロジーの急速な発展の下、現在のコンピュータシステムはマルチ機能が一体化され、特にレジャー用のマルチメディアシステムの結合は人々にとって相当に重要な機能である。現在民衆は機能が比較的充実しているコンピュータシステムを購入すれば他のマルチメディア電子製品、例えばＣＤプレイヤー、ＶＣＤ、ＤＶＤプレイヤー、テレビ等のハードウエア設備を購入する必要がなく、室内占用空間を減らし、コストを節約できる。
【０００３】
現代の民衆は毎日生活のために家を早くでて遅く帰り、多くの民衆は家に帰った後、好きなテレビ番組を観ることができず、毎日の最大の娯楽を喪失し、こういうことは心身が疲労した人にとっては非常に大きな損失であり、特に放送時間が重要な試合や連続ドラマ等の番組は見逃すと後悔に耐えない。このため現在のコンピュータシステムには記録保存の機能が具わっている。しかし、記録保存されたデータを再生する時、観る者が早送り機能を使用した後に停止して正常再生する時、再生フレーム遅延現象が発生し、且つ保存媒体にテレビ番組或いは映画を保存する時には、比較的長い記録時間を必要とする。その原因は以下の通りである。
【０００４】
現在コンピュータシステムの受信保存するデータのほとんどはＭＰＥＧ方式で圧縮され、図１に示されるのはＭＰＥＧ画像グループ（Ｇｒｏｕｐ  ｏｆ  Ｐｉｃｔｕｒｅｓ；ＧＯＰ）の構造表示図である。図示されるように、ＭＰＥＧ画像グループは三種類の異なる圧縮フレーム方式が組み合わされてなり、第１種はＩフレーム（Ｉｎｔｒａ  ｆｒａｍｅ）６０であり、それは参考フレームとされ、Ｉフレーム６０は全体画像フレームを圧縮し、この圧縮法はＪＰＥＧ圧縮に類似し、離散余弦変換（ＤＣＴ）、量子化及びハフマンエンコード法の数学演算により比較的関係がなく重複する余分のデータを処理する。
【０００５】
第２種はＰフレーム（Ｐｒｅｄｉｃｔｅｄ  ｆｒａｍｅ）７０であり、Ｐフレーム７０は前のＩフレーム６０を参考画像とし、フレーム中の重複した部分を保存せず、２枚のフレームの異なるところだけを保存し、この異なる部分は即ちＰフレーム７０である。第３種類はＢフレーム（Ｂｉ−ｄｉｒｅｃｔｉｏｎａｌ  ｆｒａｍｅ）８０である。上述の各フレームに対して同様の動作を行なうと、時間とともにエラーが発生する恐れがあり、これらのエラーは累積しうる。ゆえに一枚のフレームを挿入して前後のフレームを対比する。Ｂフレーム８０とＰフレーム７０の違いはＢフレーム８０は前後のＩフレーム６０及びＰフレーム７０を参考にできることにあり、この三種類の圧縮フレーム中、Ｂフレーム８０のデータ量は最小でＰフレームは最大であり、この三種類のフレームはピクチャーグループ中で一定の配列順序を有さない。
【０００６】
Ｐフレーム７０とＢフレーム８０は前後のフレームのデータを応用することで特定フレームを表示するのに必要とするデータ総量を減らすことができ、ゆえにそれはテンポラリーの圧縮データであり、Ｐフレーム７０とＢフレーム８０は並びに完全なデータでなく、ゆえに、単独デコード表示できない。Ｉフレーム６０は完全なフレームで、単独でデコード表示できる。Ｉフレーム６０はフレームグループの第１枚であり、その後、フレームグループ内のＰフレーム７０とＢフレーム８０がそのデータを参考とし、ゆえに伝送保存及び記録時には特に保護して遺失防止して後続のフレーム画像品質の損害を防止しなければならない。
【０００７】
ＭＰＥＧ形式データを再生する時には、まずＩフレーム６０を取得しなければデコード再生できず、ゆえにコンピュータシステムがＭＰＥＧ形式のデータをデコード再生する過程で、視聴者がフレーム早送り機能を使用した後に正常再生する時、早送り後の停止位置がＰフレーム７０或いはＢフレーム８０である時、デコード再生ソフトは前のＩフレーム６０を探し出さねばＭＰＥＧ形式データをデコード再生できない。ゆえに早送りした後、正常にＭＰＥＧ形式データをデコード再生しようとする時に遅延現象が発生して再生フレームに影響を与え得るのである。このほか、ＭＰＥＧ形式データを記録する時、コンピュータシステムは各Ｉフレーム６０の位置を探し出してから記録を行なわねばならず、ゆえに使用者はＭＰＥＧ形式データを記録する時に、前置き作業時間を待たねばならず、時間を浪費する。
【０００８】
近年、コンピュータウイルス防止対策の重視、システム管理及びシステム安定の要求により、Ｗｉｎｄｏｗｓ（登録商標）オペレーションシステム負荷とシステム消耗リソースが続けてアップし、使用者がコンピュータシステムの単一のアプリケーションプログラムを使用するだけでも長い起動時間を待たねばならず、時間の浪費と効率ダウンをもたらす。
【０００９】
このため、上述の問題に対して遠端ビデオ情報を保存するコンピュータシステム及び方法を提供し、システムリソース消耗が比較的低いオペレーションシステム下で遠端ビデオ情報をコンピュータシステムの保存ユニット中に保存し、且つ保存と同時に保存位置を記録し、視聴者が保存したビデオ情報を観る時に、早送り機能を使用した後に正常に再生する時、フレーム遅延現象を発生しないようにし、並びにビデオ情報の記録保存の時間を短縮し、コンピュータシステムのシステムリソース消耗量を減らし、効率をアップすることが必要である。
【発明の開示】
【発明が解決しようとする課題】
【００１０】
本発明の主要な目的は、一種の遠端ビデオ情報を保存するコンピュータシステム及び方法を提供することにあり、それは、コンピュータシステムにシステムリソース消耗の低いオペレーションシステム下で遠端ビデオ情報を保存ユニット中に保存させ、且つ保存と同時にインデックステーブルを構築させて保存位置を記録させ、観る者がビデオ情報を観る過程で早送り機能を使用した後に正常再生する時にフレーム遅延現象が発生しないようにし、並びにコンピュータシステムが遠端ビデオ情報を保存する時のシステムリソース消耗減らし、コンピュータシステムの使用効率を高める。
【００１１】
本発明のもう一つの目的は、一種の遠端ビデオ情報を保存するコンピュータシステム及び方法を提供することにあり、それは遠端ビデオ情報受信の過程で、遠端ビデオ情報を、適当な時間或いはデータサイズの保存ファイルとして保存した後、別の保存ファイルを続けて保存し、こうして遠端ビデオ情報を完全に保存し、管理保存、記録に便利とする。
【００１２】
本発明は遠端ビデオ情報を保存するコンピュータシステム及び方法を提供し、それは、第１オペレーションシステムと第２オペレーションシステムが保存されたコンピュータシステムに用いられ、並びにシステムリソース消耗が比較的低い第２オペレーションシステム下で遠端ビデオ情報の受信保存を実行し、使用者が遠端ビデオ情報を観る時は、まず使用者はコンピュータシステムの入力ユニットを通して外部命令をコンピュータシステムのＣＰＵに下す。外部命令がＣＰＵに受け取られると、ＣＰＵは駆動信号をコンピュータシステムのビデオ情報受信ユニットに送る。続いて遠端ビデオ情報を受信する。最後に遠端ビデオ情報をコンピュータシステムの保存ユニット中に保存し、遠端ビデオ情報を保存すると同時にインデックステーブルを構築し、遠端ビデオ情報保存の位置を記録する。このほか、遠端ビデオ情報の受信保存時に、コンピュータシステムは保存ユニット中で保存ファイルを開いて遠端ビデオ情報を保存し、遠端ビデオ情報を保存ファイルに適当な時間或いはデータサイズで保存した後、コンピュータシステムは別の保存ファイルを開いて続けて遠端ビデオ情報を保存し、こうして完全に遠端ビデオ情報を保存する。
【課題を解決するための手段】
【００１３】
請求項１の発明は、遠端ビデオ情報を保存するコンピュータシステムにおいて、該コンピュータシステムに第１オペレーションシステムとシステムリソース消耗の低い第２オペレーションシステムがインストールされ、該コンピュータシステムの遠端ビデオ情報受信保存は第２オペレーションシステム下で実行され、該コンピュータシステムは、
遠端ビデオ情報を受信するビデオ情報受信ユニットと、
該ビデオ情報受信ユニットが受信した遠端ビデオ情報を保存する保存ユニットと、
該保存ユニットにおける遠端ビデオ情報保存の位置を記録するインデックステーブルと、
使用者が外部命令を下すのに使用される入力ユニットと、
該入力ユニットの外部命令を受け取り該ビデオ情報受信ユニットを駆動して遠端ビデオ情報を受信させるＣＰＵと、
を具えたことを特徴とする、遠端ビデオ情報を保存するコンピュータシステムとしている。
請求項２の発明は、請求項１記載の遠端ビデオ情報を保存するコンピュータシステムにおいて、入力ユニットが無線リモートコントローラーとされたことを特徴とする、遠端ビデオ情報を保存するコンピュータシステムとしている。
請求項３の発明は、請求項１記載の遠端ビデオ情報を保存するコンピュータシステムにおいて、入力ユニットがキーボードとされたことを特徴とする、遠端ビデオ情報を保存するコンピュータシステムとしている。
請求項４の発明は、請求項１記載の遠端ビデオ情報を保存するコンピュータシステムにおいて、ビデオ情報受信ユニットがアナログ遠端ビデオ情報をデジタルビデオ情報に変換することを特徴とする、遠端ビデオ情報を保存するコンピュータシステムとしている。
請求項５の発明は、請求項１記載の遠端ビデオ情報を保存するコンピュータシステムにおいて、インデックステーブルが遠端ビデオ情報の完全フレームの保存位置を記録することを特徴とする、遠端ビデオ情報を保存するコンピュータシステムとしている。
請求項６の発明は、請求項１記載の遠端ビデオ情報を保存するコンピュータシステムにおいて、エンコードユニットを更に具え、該エンコードユニットはビデオ情報受信ユニットが伝送する遠端ビデオ情報を受け取りそれをエンコード圧縮して圧縮データとなし、更に保存ユニットに伝送し保存することを特徴とする、遠端ビデオ情報を保存するコンピュータシステムとしている。
請求項７の発明は、請求項６記載の遠端ビデオ情報を保存するコンピュータシステムにおいて、遠端ビデオ情報のエンコード圧縮形式がＭＰＥＧ形式とされたことを特徴とする、遠端ビデオ情報を保存するコンピュータシステムとしている。
請求項８の発明は、請求項７記載の遠端ビデオ情報を保存するコンピュータシステムにおいて、ＭＰＥＧ形式データの各Ｉフレームの保存位置がインデックステーブルに記録されることを特徴とする、遠端ビデオ情報を保存するコンピュータシステムとしている。
請求項９の発明は、請求項６記載の遠端ビデオ情報を保存するコンピュータシステムにおいて、デコードユニットを更に具え、該デコードユニットが保存ユニットの保存した圧縮データを読み取り、デコードすることを特徴とする、遠端ビデオ情報を保存するコンピュータシステムとしている。
請求項１０の発明は、請求項９記載の遠端ビデオ情報を保存するコンピュータシステムにおいて、表示ユニットを更に具え、該表示ユニットがデコードユニットがデコードした後のデータを受け取り、表示することを特徴とする、遠端ビデオ情報を保存するコンピュータシステムとしている。
請求項１１の発明は、請求項１記載の遠端ビデオ情報を保存するコンピュータシステムにおいて、デコードユニットを具え、該デコードユニットがビデオ情報受信ユニットが受信したエンコード圧縮済みの遠端ビデオ情報をデコードすることを特徴とする、遠端ビデオ情報を保存するコンピュータシステムとしている。
請求項１２の発明は、請求項１１記載の遠端ビデオ情報を保存するコンピュータシステムにおいて、表示ユニットを具え、該表示ユニットがデコードユニットがデコードした後のデータを受け取り、表示することを特徴とする、遠端ビデオ情報を保存するコンピュータシステムとしている。
請求項１３の発明は、請求項１記載の遠端ビデオ情報を保存するコンピュータシステムにおいて、記録ユニットを具え、該記録ユニットがインデックステーブルと保存ユニットに保存された遠端ビデオ情報を読み取り、保存媒体に記録保存することを特徴とする、遠端ビデオ情報を保存するコンピュータシステムとしている。
請求項１４の発明は、請求項１記載の遠端ビデオ情報を保存するコンピュータシステムにおいて、使用者が入力ユニットを通して外部命令をＣＰＵに下し、遠端ビデオ情報受信時間、遠端ビデオ情報受信チャンネル及び受信保存終了時間を設定でき、設定された受信保存時間が到達すると、ＣＰＵがビデオ情報受信ユニットを駆動し遠端ビデオ情報を受信させ並びに保存ユニットに保存することを特徴とする、遠端ビデオ情報を保存するコンピュータシステムとしている。
請求項１５の発明は、請求項１４記載の遠端ビデオ情報を保存するコンピュータシステムにおいて、電源管理ユニットを具え、該電源管理ユニットはＣＰＵに接続され、ＣＰＵに受信保存条件が設定された後に遠端ビデオ情報受信時間が未到達の時、該電源管理ユニットがＣＰＵに電源を供給せず、受信保存時間が到達して遠端ビデオ情報の受信保存が開始される時にＣＰＵに電源を供給し、且つ遠端ビデオ情報受信保存完成後にはＣＰＵに電源を供給しないことを特徴とする、遠端ビデオ情報を保存するコンピュータシステムとしている。
請求項１６の発明は、請求項１５記載の遠端ビデオ情報を保存するコンピュータシステムにおいて、電源管理ユニットが電源供給ユニットに接続されたことを特徴とする、遠端ビデオ情報を保存するコンピュータシステムとしている。
請求項１７の発明は、請求項１記載の遠端ビデオ情報を保存するコンピュータシステムにおいて、遠端ビデオ情報がテレビ番組のビデオ情報とされたことを特徴とする、遠端ビデオ情報を保存するコンピュータシステムとしている。
請求項１８の発明は、請求項１記載の遠端ビデオ情報を保存するコンピュータシステムにおいて、第１オペレーションシステムがＷｉｎｄｏｗｓ（登録商標）系列のオペレーションシステムとされたことを特徴とする、遠端ビデオ情報を保存するコンピュータシステムとしている。
請求項１９の発明は、請求項１記載の遠端ビデオ情報を保存するコンピュータシステムにおいて、第２オペレーションシステムがＬｉｎｕｘ（登録商標）系列のオペレーションシステムとされたことを特徴とする、遠端ビデオ情報を保存するコンピュータシステムとしている。
請求項２０の発明は、請求項１記載の遠端ビデオ情報を保存するコンピュータシステムにおいて、第２オペレーションシステムが第１オペレーションシステムにインストールされたアプリケーションプログラムを共用することを特徴とする、遠端ビデオ情報を保存するコンピュータシステムとしている。
請求項２１の発明は、遠端ビデオ情報を保存する方法において、該コンピュータシステムに第１オペレーションシステムとシステムリソース消耗の低い第２オペレーションシステムがインストールされ、該コンピュータシステムの遠端ビデオ情報受信保存は第２オペレーションシステム下で実行され、この遠端ビデオ情報を保存する方法は、
遠端ビデオ情報を受信保存する外部命令をコンピュータシステムのＣＰＵに下すステップ、
外部命令をＣＰＵが受信した後、ＣＰＵが駆動信号を発生してコンピュータシステムのビデオ情報受信ユニットを駆動するステップと、
遠端ビデオ情報を受信するステップと、
遠端ビデオ情報をコンピュータシステムの保存ユニットに保存すると共に、インデックステーブルを構築するステップと、
を具えたことを特徴とする、遠端ビデオ情報を保存する方法としている。
請求項２２の発明は、請求項２１記載の遠端ビデオ情報を保存する方法において、インデックステーブルが遠端ビデオ情報の完全フレームの保存位置を記録することを特徴とする、遠端ビデオ情報を保存する方法としている。
請求項２３の発明は、請求項２１記載の遠端ビデオ情報を保存する方法において、遠端ビデオ情報を受信するステップにあって、受信する遠端ビデオ情報がＭＰＥＧ形式のデータとされ、各ＭＰＥＧ形式のデータの各Ｉフレームの位置がインデックステーブルに記録されることを特徴とする、遠端ビデオ情報を保存する方法としている。
請求項２４の発明は、請求項２１記載の遠端ビデオ情報を保存する方法において、遠端ビデオ情報を受信するステップで受信する遠端ビデオ情報がアナログ信号の時、更に、
受信した遠端ビデオ情報をデジタルビデオ情報に変換するステップ、
該デジタルビデオ情報をエンコード圧縮して圧縮データとなし、更に保存ユニットに伝送し保存するステップ、
を具えたことを特徴とする、遠端ビデオ情報を保存する方法としている。
請求項２５の発明は、請求項２１記載の遠端ビデオ情報を保存する方法において、遠端ビデオ情報を受信するステップで受信する遠端ビデオ情報がデジタルビデオ情報の時、該デジタルビデオ情報をエンコード圧縮して圧縮データとなし、更に保存ユニットに伝送し保存するステップ、
を具えたことを特徴とする、遠端ビデオ情報を保存する方法としている。
請求項２６の発明は、請求項２４又は請求項２５記載の遠端ビデオ情報を保存する方法において、遠端ビデオ情報のエンコード圧縮形式がＭＰＥＧ形式とされたことを特徴とする、遠端ビデオ情報を保存する方法としている。
請求項２７の発明は、請求項２６記載の遠端ビデオ情報を保存する方法において、ＭＰＥＧ形式データの各Ｉフレームの保存位置がインデックステーブルに記録されることを特徴とする、遠端ビデオ情報を保存する方法としている。
請求項２８の発明は、請求項２１記載の遠端ビデオ情報を保存する方法において、遠端ビデオ情報を保存ユニットに保存するステップで、コンピュータシステムが保存ユニット中の保存ファイルを開き、遠端ビデオ情報を所定時間保存した後、該コンピュータシステムが別の保存ファイルを開いて続いて保存して遠端ビデオ情報を完全に保存し、保存ファイルの保存時間は使用者が設定することを特徴とする、遠端ビデオ情報を保存する方法としている。
請求項２９の発明は、請求項２１記載の遠端ビデオ情報を保存する方法において、遠端ビデオ情報を保存ユニットに保存するステップで、コンピュータシステムが保存ユニット中の保存ファイルを開き、遠端ビデオ情報を所定データサイズまで保存した後、該コンピュータシステムが別の保存ファイルを開いて続いて保存して遠端ビデオ情報を完全に保存し、保存ファイルの保存データサイズは使用者が設定することを特徴とする、遠端ビデオ情報を保存する方法としている。
請求項３０の発明は、請求項２１記載の遠端ビデオ情報を保存する方法において、使用者が外部命令をＣＰＵに下し、遠端ビデオ情報受信保存時間、受信遠端ビデオ情報チャンネル、及び受信保存終了時間を設定し、遠端ビデオ情報受信保存時間が到達すると、ＣＰＵがビデオ情報受信ユニットを駆動して遠端ビデオ情報を受信し並びに保存ユニットに保存することを特徴とする、遠端ビデオ情報を保存する方法としている。
請求項３１の発明は、請求項３０記載の遠端ビデオ情報を保存する方法において、受信保存条件設定後に、遠端ビデオ情報受信保存時間が未到達の時、ＣＰＵに電力供給せず、遠端ビデオ情報受信保存時間が到達した時、ＣＰＵに電力供給し、且つ遠端ビデオ情報受信保存完成後にＣＰＵに電力を供給しないことを特徴とする、遠端ビデオ情報を保存する方法としている。
請求項３２の発明は、請求項２１記載の遠端ビデオ情報を保存する方法において、遠端ビデオ情報がテレビ番組のビデオ情報とされたことを特徴とする、遠端ビデオ情報を保存する方法としている。
請求項３３の発明は、請求項２１記載の遠端ビデオ情報を保存する方法において、第１オペレーションシステムがＷｉｎｄｏｗｓ（登録商標）系列のオペレーションシステムとされたことを特徴とする、遠端ビデオ情報を保存する方法としている。
請求項３４の発明は、請求項２１記載の遠端ビデオ情報を保存する方法において、第２オペレーションシステムがＬｉｎｕｘ（登録商標）系列のオペレーションシステムとされたことを特徴とする、遠端ビデオ情報を保存する方法としている。
請求項３５の発明は、請求項２１記載の遠端ビデオ情報を保存する方法において、第２オペレーションシステムが第１オペレーションシステムにインストールされたアプリケーションプログラムを共用することを特徴とする、遠端ビデオ情報を保存する方法としている。
【発明の効果】
【００１４】
本発明は一種の遠端ビデオ情報を保存するコンピュータシステム及び方法を提供する。コンピュータシステムには第１オペレーションシステムとシステムリソース消耗が比較的低い第２オペレーションシステムがインストールされ、使用者がコンピュータシステムを第２オペレーションシステムで操作して遠端ビデオ情報を保存ユニット中に保存すると同時に、インデックステーブル記録保存位置を構築し、使用者がコンピュータシステムの入力ユニットを通して入力した外部命令をコンピュータシステムのＣＰＵに受け取り、ＣＰＵがコンピュータシステムのビデオ情報受信ユニットを駆動して遠端ビデオ情報を受信させ、その後、遠端ビデオ情報をコンピュータシステムの保存ユニット中に保存し、インデックステーブルを構築し、遠端ビデオ情報の保存位置を記録する。
【発明を実施するための最良の形態】
【００１５】
図２は本発明の好ましい実施例のブロック図である。図示されるように、コンピュータシステムは入力ユニット１０を具え、それは使用者が遠端ビデオ情報を受信保存する時、外部命令をＣＰＵ１５に入力して遠端ビデオ情報を保存するか、或いは予め遠端ビデオ情報の受信保存時間、受信保存する遠端ビデオ情報チャンネル、及び遠端ビデオ情報の受信保存終了時間を設定するのに用いられる。入力ユニット１０はキーボード或いは無線リモートコントローラーとされうる。ビデオ情報受信ユニット２０は遠端ビデオ情報を受信し、受信した遠端ビデオ情報がアナログ信号である時は、それをデジタル信号に変換し、ビデオ情報受信ユニット２０が受信した遠端ビデオ情報が未圧縮のビデオデータである時は直接表示ユニット２５に伝送して表示し、遠端ビデオ情報がエンコード圧縮されたデータである時は、図４に示されるように、デコードユニット４０でデコードしたから表示ユニット２５に送り表示する。
【００１６】
ビデオ情報受信ユニット２０が受信した遠端ビデオ情報が未エンコード圧縮のビデオ情報である時、エンコードユニット３０に送り、圧縮エンコードして圧縮データとなし、その後、更に保存ユニット３５に送り保存する。保存ユニット３５はハードディスク（ＨＤ）とされうる。デコードユニット４０は保存ユニット３５が保存するエンコード後の圧縮データを受け取りそれを還元して表示ユニット２５に送り表示する。記録ユニット４５はＣＰＵ１５を通して保存ユニット３５に保存されたデータを読み取り、保存媒体例えばディスクに保存し、携帯、保存に便利とする。電源管理ユニット５０はＣＰＵ１５に接続され、電源管理ユニット５０は使用者が予め設定した遠端ビデオ情報受信保存開始時間により、開始時間がくると、ＣＰＵ１５に電源を供給し、受信保存時間が終了すると、電源管理ユニット５０はＣＰＵ１５への電源供給を停止し、電源を節約する。このほか、電源管理ユニット５０は電源供給ユニット５５に接続されて電源を供給する。
【００１７】
図３は本発明の実施例のフローチャートである。本発明のコンピュータシステムには第１オペレーションシステムと第２オペレーションシステムがインストールされ、第１オペレーションシステムには少なくとも一つのアプリケーションプログラムがインストールされるが、ただしそのシステムリソース消耗は高く、第１オペレーションシステムは例えばＷｉｎｄｏｗｓ（登録商標）ＸＰ、Ｗｉｎｄｏｗｓ（登録商標）ＮＴ、Ｗｉｎｄｏｗｓ（登録商標）９８、Ｗｉｎｄｏｗｓ（登録商標）２０００、Ｗｉｎｄｏｗｓ（登録商標）Ｍｅ等のＷｉｎｄｏｗｓ（登録商標）オペレーションシステムとされ、第２オペレーションシステムはシステムリソース消耗が比較的低いオペレーションシステム、例えばＬｉｎｕｘ（登録商標）オペレーションシステムとされ、第２オペレーションシステムは第１オペレーションシステムのアプリケーションプログラムを共用する。本発明の受信保存方法は第２オペレーションシステム下で実行される。
【００１８】
まずステップＳ１に示されるように、使用者は入力ユニット１０を通して遠端ビデオ情報の受信保存を行なう外部命令をＣＰＵ１５に下す。続いてステップＳ２のように、外部命令がＣＰＵ１５に受け取られると、ＣＰＵ１５は駆動信号をビデオ情報受信ユニット２０に送る。続いて、ステップＳ３に示されるように、ビデオ情報受信ユニット２０が遠端ビデオ情報を受信する。受信される遠端ビデオ情報がアナログビデオ情報であれば、ビデオ情報受信ユニット２０はそれをデジタルビデオ情報に変換する。その後、ステップＳ４に示されるように、遠端ビデオ情報をエンコードユニット３０に送り、エンコード圧縮処理して圧縮データとなし、エンコード圧縮形式はＭＰＥＧ形式とされる。最後にステップＳ５に示されるように、圧縮データを保存ユニット３５に送り、並びに圧縮データを保存すると同時にインデックステーブルを構築する。インデックステーブルは圧縮完成フレームのデータ保存位置を記録し、例えばＭＰＥＧ形式圧縮データ中の各Ｉフレームの保存位置を記録する。
【００１９】
このほか、データの圧縮保存時に、コンピュータシステムは保存ユニット３５中で保存ファイルを開き、コンピュータシステムが保存ファイルに適当な時間或いはデータサイズでデータを保存する時、コンピュータシステムは別の保存ファイルを開き、続けてデータを新たに開いた保存ファイル中に保存し、こうして遠端ビデオ情報を完全に保存し、保存ファイルの保存時間及びデータサイズは使用者が自分で設定できる。本方法は遠端ビデオ情報を固定時間或いはデータサイズの保存ファイルとして保存し、記録ユニット４５が保存媒体に記録するのに便利で、携帯保存に便利である。
【００２０】
遠端ビデオ情報の受信保存完成後、保存した遠端ビデオ情報を再生する時は、デコードユニット４０が保存ユニット３５に保存した圧縮データをデコードし、更に表示ユニット２５に送り表示する。本発明は遠端ビデオ情報を保存する時に、インデックステーブルも構築してＭＰＥＧ形式の圧縮データ中の各Ｉフレームの位置を記録しているため、保存ユニット３５に保存した遠端ビデオ情報を観る時、早送り機能を使用した後に正常再生する時、フレーム遅延現象を発生せず、ビデオ情報再生の順調度を高めることができる。このほか、使用者がコンピュータシステムを操作して記録ユニット４５を使用して保存ユニット３５中の遠端ビデオ情報を記録する時には、直接インデックステーブルと保存された遠端ビデオ圧縮データを記録でき、各Ｉフレーム位置を探す必要がなく、記録時間を短縮できる。
【００２１】
このほか、使用者は入力ユニット１０を通して外部命令をＣＰＵ１５に下してコンピュータシステムの遠端ビデオ情報受信開始時間、受信する遠端ビデオ情報のチャンネル、受信保存終了時間を設定でき、使用者の設定後に、コンピュータシステム使用者がコンピュータシステムを使用しない時は、電源管理ユニット５０がＣＰＵ１５への電力供給を停止して節電する。その後、遠端ビデオ情報受信開始時間が到達すると、電源管理ユニット５０はＣＰＵ１５に電源を供給し、システムリソース消耗が比較的低い第２オペレーションシステムを起動し、ビデオ情報受信ユニット２０を駆動し、設定したチャンネルの遠端ビデオ情報の受信を開始させ、その後、上述のフローのように、ステップＳ４、Ｓ５を実行する。しかし、遠端ビデオ情報受信終了時間がくると、電源管理ユニット５０はＣＰＵ１５への電源供給を停止し、電源を節約する。
【００２２】
図４及び図５は本発明の別の実施例のブロック図及びフローチャートである。図示されるように、この実施例は上述の実施例とは異なり、ビデオ情報受信ユニット２０が受信する遠端ビデオ情報は既にＭＰＥＧ形式のビデオ圧縮データである。この時、エンコードユニット３０による圧縮処理は不要で、ゆえにこの実施例ではエンコードユニット３０がなく、且つ使用者が遠端ビデオ情報を視聴すると同時に、ビデオ情報受信ユニット２０が受信する遠端ビデオデータがデコードユニット４０によりデコードされて表示ユニット２５に送られ表示される。
【００２３】
総合すると、本発明の遠端ビデオ情報を保存するコンピュータシステム及び方法は、システムリソース消耗の低い第２オペレーションシステム下で遠端ビデオ情報の受信保存を行ない、ゆえにコンピュータシステムのシステムリソース消耗を減らすことができ、且つ本発明は遠端ビデオ情報を保存する時、インデックステーブルも構築して遠端ビデオ情報保存の位置を記録するため、コンピュータシステムが保存された遠端ビデオ圧縮情報を再生する時、使用者が早送り機能を使用した後に正常再生する時、フレーム遅延の現象を発生させず、フレームの品質を高めることができ、且つ記録保存する時、各完全圧縮フレームの位置を探す必要がなく、記録時間を短縮できる。このほか、本発明は遠端ビデオ情報を保存する時、保存ファイル中で適当な固定時間或いはデータサイズで保存でき、例えば一般に市販されているＣＤ６５０ＭＢ／７４分間或いは７００ＭＢ／８０分間の常用規格で保存でき、これにより使用者の記録保存管理に便利である。
【００２４】
本発明は新規性、進歩性及び産業上の利用価値を有する発明であり、以上の実施例は本発明の実施範囲を限定するものではなく、本発明に基づきなしうる細部の修飾或いは改変は、いずれも本発明の請求範囲に属するものとする。
【図面の簡単な説明】
【００２５】
【図１】周知のＭＰＥＧ画像グループ（Ｇｒｏｕｐ  ｏｆ  Ｐｉｃｔｕｒｅｓ；ＧＯＰ）の構造表示図である。
【図２】本発明の好ましい実施例のブロック図である。
【図３】本発明の実施例のフローチャートである。
【図４】本発明の別の実施例のブロック図である。
【図５】本発明の別の実施例のフローチャートである。
【符号の説明】
【００２６】
１０  入力ユニット
１５  ＣＰＵ
２０  ビデオ情報受信ユニット
２５  表示ユニット
３０  エンコードユニット
３５  保存ユニット
４０  デコードユニット
４５  記録ユニット
５０  電源管理ユニット
５５  電源供給ユニット
６０  Ｉフレーム
７０  Ｐフレーム
８０  Ｂフレーム
【図１】
2005260955.tif 000003
【図２】
2005260955.tif 000004
【図３】
2005260955.tif 000005
【図４】
2005260955.tif 000006
【図５】
2005260955.tif 000007